(57)【要約】【課題】  粘性液状、ペースト状又はゼリー状の調味料、ハチミツ、シャンプー、練歯磨等に広く適用でき、大小さまざまな大きさや形状のチューブ容器に対応可能なチューブ容器の逆さ立て器具を提供する。【解決手段】  中空筒状体の内部に平面視にて中央空間部から側壁に向けて放射状に伸びる複数のリブが互いに間隔をおいて設けてなるチューブ容器の逆さ立て器具であって、前記リブは可撓性材料からなる略半円弧状をなし、背面を側壁に向け且つ先細部を上向きにして設け、中央空間部にチューブ容器を下向きに逆さに立て該リブを介して支持させ、奇数個のリブを互いに等間隔に中空筒状容器の側壁に設け、可撓性材料は合成樹脂、合成ゴム、天然ゴム又はこれら以外のエラストマーの何れか一種からなる。【選択図】図２
2015009825.tif 000002
【特許請求の範囲】
【請求項１】
中空筒状体の内部に平面視にて中央空間部から側壁に向けて放射状に伸びる複数のリブが互いに間隔をおいて設けてなるチューブ容器の逆さ立て器具であって、前記リブは可撓性材料からなる略半円弧状をなし、背面を側壁に向け且つ先細部を上向きにして設け、中央空間部にチューブ容器を下向きに逆さに立て該リブを介して支持させることを特徴とするチューブ容器の逆さ立て器具。
【請求項２】
奇数個の前記リブを互いに等間隔に中空筒状容器の側壁に設けてなることを特徴とする請求項１記載のチューブ容器の逆さ立て器具。
【請求項３】
前記可撓性材料は合成樹脂、合成ゴム、天然ゴム又はこれら以外のエラストマーの何れか一種又は何れかの混合物又は何れかの単量体の共重合体からなることを特徴とする請求項１又は２記載のチューブ容器の逆さ立て器具。
【発明の詳細な説明】
【技術分野】
【０００１】
本発明は、粘性液状、ペースト状又はゼリー状の調味料、ハチミツ、シャンプー、練歯磨等を容れたチューブ容器の逆さ立て器具に関し、より詳細には容器口部の種々の形状ないし大きさに対応可能なチューブ容器の逆さ立て器具に関するものである。
【背景技術】
【０００２】
従来、前記マヨネーズ、ケチャップ等の調味料、ハチミツ、シャンプー、練歯磨等の粘性液状、ペースト状又はゼリー状のものは柔軟なプラスチック製チューブ容器に収容されて市販されている。しかし、これら内容物は比較的粘度が高く流動性に乏しいためにチューブの中間部を手で握り締めて内容物を容器の口から適宜量を絞り出して使用している。
【０００３】
ところが、使い始めて暫くは何ら支障なく使用できるのであるが、チューブ内の内容物の残量が少なくなると容器の内側に膜状に密着した状態で散在し残留物を短時間で完全に容器から取り出すことが極めて困難となる。このような状態を打開するために特許文献１，２にチューブ容器逆さ立て器が開示されている。例えば、特許文献１には逆碗状のハカマの中央部に窪状のキャップを形成しこのキャップにチューブ容器口部を螺合ないし圧入してチューブ容器を逆さに立てる粘性食品容器が開示されている。また、特許文献２には容器のキャップ部を嵌合する受口を弾性材により大小２段に形成して台座に固定した食品包装容器逆立スタンドが開示されている。
【先行技術文献】
【特許文献】
【０００４】
【特許文献１】特開２００６−２２４９７０号公報
【特許文献２】実用新案登録第３００３５３７号公報
【発明の概要】
【発明が解決しようとする課題】
【０００５】
しかし、前記の特許文献１に記載された器具は、キャップがハカマ側に設けられており、そのキャップに合う口部の容器にしか対応できないために不便である。また、特許文献２に記載された発明は、チューブ容器のキャップを嵌合する受口が大小２段に形成されており、この大小２段の受口に嵌合するキャップを備えたチューブ容器に使用が限定される。しかして、市販されているチューブ容器は形状や大きさが千差万別であり、かかる市販のチューブ容器に広く使用できるチューブ容器の逆さ立て器が要望されていた。そこで、本願発明者は、中空筒状容器の中央空間部から側壁に向けて放射状に伸びる可撓性を有する複数の略半円弧状のリブを設け、この中心空間部にチューブ容器を逆さに立てることによって、チューブ容器はリブによって確実に支持されることを知見して本発明に至ったものであり、本願発明の主たる目的は、前記問題点を解消し、大小さまざまな大きさや形状のチューブ容器に対応可能なチューブ容器の逆さ立て器を提供することにある。
【課題を解決するための手段】
【０００６】
前記の課題を解決するために、本発明は、中空筒状体の内部に平面視にて中央空間部から側壁に向けて放射状に伸びる複数のリブが互いに間隔をおいて設けてなるチューブ容器の逆さ立て器具であって、前記リブは可撓性材料からなる略半円弧状をなし、背面を側壁に向け且つ先細部を上向きにして設け、中央空間部にチューブ容器を下向きに逆さに立て該リブを介して支持させることを特徴とするチューブ容器の逆さ立て器具とする。
【０００７】
また、前記の課題を解決するために、本発明は、奇数個の前記リブを互いに等間隔に中空筒状容器の側壁に設けてなることを特徴とする前記のチューブ容器の逆さ立て器具とすることが好ましい。
【０００８】
また、前記の課題を解決するために、本発明は、前記可撓性材料は合成樹脂、合成ゴム、天然ゴム又はこれら以外のエラストマーの何れか一種又は何れかの混合物又は何れかの単量体の共重合体からなることを特徴とする前記のチューブ容器の逆さ立て器具とすることが好ましい。
【発明の効果】
【０００９】
本願発明に係るチューブ容器の逆さ立て器具は、前記のように構成したことにより、中央空間部にチューブ容器を下向きに逆さに立てリブを介して支持させたときに、チューブ容器の口部乃至胴体部が複数のリブに圧接し、チューブ容器を逆さに立てた状態で支持することができる。また、リブを側壁に互いに等間隔に配設した場合は、リブの押圧する放射状の抵抗力が中央空間部のチューブ容器に均等に掛かるのでチューブ容器を中空筒状体内の中央部に支持する作用効果を奏する。
【００１０】
更に、奇数個のリブを互いに等間隔に配設することがより好ましい。仮に、偶数個のリブを互いに等間隔に配設した場合、リブは中心点（中央空間部）から対称に配置されるために中央空間部のチューブ容器にかかる放射状の抵抗力が分散されずリブが撓みにくい。これに対して、奇数個のリブを互いに等間隔に配設した場合は、リブは中心点（中央空間部）から非対称に配置されるために中央空間部のチューブ容器にかかる放射状の抵抗力がリブの向きに対して左右方向に分散されるためにリブが左右に撓み易くなり、この撓みによるバネの力によって口部の大きさや形状の異なるチューブ容器をより容易且つ確実に支持することとなるのである。
【図面の簡単な説明】
【００１１】
【図１】実施例に係るチューブ容器の逆さ立て器具の平面図である。
【図２】実施例に係るチューブ容器の逆さ立て器具の斜視説明図である。
【図３】実施例に係るチューブ容器の逆さ立て器具の側面図である。
【図４】図１のＡ−Ａ線断面図である。
【図５】図４のチューブ容器の逆さ立て器具においてチューブ容器を支持させた状態の説明図である。
【図６】実施例に係るチューブ容器の写真図である。
【図７】実施例に係るチューブ容器にマヨネーズ入りチューブ容器（２００ｇ入り）を逆さに立てた状態の写真図である。
【図８】実施例に係るチューブ容器にマヨネーズ入りチューブ容器（５００ｇ入り）を逆さに立てた状態の写真図である。
【発明を実施するための形態】
【００１２】
本願発明を実施するための形態（以下「実施の形態」と称する）について、以下に詳細に説明する。しかし、本願発明は、かかる実施の形態に限定されるものではない。
【００１３】
図１〜５に示す本願発明の実施の形態において、１はチューブ容器の逆さ立て器具であり、１１は中空筒状体であり、１２はリブであり、１３は側壁であり、１４は底部である。本発明の実施の形態に係るチューブ容器の逆さ立て器具１は、中空筒状体１１の内部に平面視にて中央空間部から側壁に向けて放射状に伸びる複数のリブ１２が互いに間隔をおいて設けてなり、前記リブ１２は可撓性材料からなる略半円弧状をなし、背面１２１を側壁１３に向け且つ先細部１２２を上向きにして設け、中央空間部１５にチューブ容器を下向きに逆さに立て該リブ１２を介して支持させることを特徴とする。
【００１４】
中空筒状体１１は、特に限定されるものではないが、中空円筒や中空多角筒等の側壁の一方が開放されており他方が底部から構成される。側壁は強度を保持する程度の厚みであれば上下均一な厚みで形成しても何ら問題はないが、安定性をより向上するために上方部を肉薄状に下方に行くほど肉厚状に形成してもよい。また、底部の中央部には円形状の窪部１４１が設けられており、チューブ容器の口部をこの窪部１４１に当接させてチューブ容器を安定して支持できるように構成することが好ましい。また、リブが左右へ撓み易くするためにリブの下端部を底部と若干離間させて設けると共にリブの下端部が位置する底部にはスリット状貫通孔１４２を穿設してもよい。
【００１５】
中空筒状体の内部に設けられるリブは、特に限定するものではないが、可撓性材料からなり厚さが１〜３ｍｍの平板状で半円弧状が好ましい。リブの個数は３〜９個が好ましく、奇数個（３，５，７，９個）がより好ましい。奇数個のリブを等間隔に放射状に配置するとリブは中心点から非対称となるためにチューブ容器にかかる放射状の抵抗力が分散され、リブが左右に撓み易くなり、キャップ容器の口部が中央空間部の間隙幅径よりもかなり大きなチューブ容器であっても、より容易に支持させることが可能となる。また、中央空間部の間隙幅径は１０〜３０ｍｍが好ましく、１５〜２５ｍｍがより好ましい。使用するチューブ容器の形状や大きさによって適宜設定することが可能である。
【００１６】
リブ１２の材料は可撓性材料であって、合成樹脂、合成ゴム、天然ゴム又はこれら以外のエラストマーの何れか一種又は何れかの混合物又は何れかの単量体の共重合体が好ましい。可撓性を有するものであれば特に限定するものではないが、例えば、ポリプロピレン（ＰＰ）、ポリエチレン（ＰＥ）、ポリスチレン（ＰＳ）、ポリエステル（ＰＥＴ）、ポリアミド（ＰＡ）、ポリ塩化ビニル（ＰＶＣ）、エチレン・酢酸ビニル共重合体（ＥＶＡ）、アクリロニトリル・ブタジエン・スチレン共重合体又はブレンド重合体（ＡＢＳ）、セルロース系プラスチック、熱可塑性エラストマー等から使用目的に応じて選択することができる。ゴム系材料としては天然ゴム、合成ゴムの何れでも良く可撓性を備えた加硫ないし架橋ゴムが好ましい。
【００１７】
合成ゴムとしては、ＳＢＲ、ＮＢＲ、ＢＲ、ＩＲ、アクリルゴム、ウレタンゴム、シリコーンゴム、ＥＰＤＭ、クロルスルホン化ポリエチレン、ポリスルフィド、エピクロルヒドリンゴム、エチレン・酢酸ビニルゴム、トランス−１，５−ポリペンテナマー、アルフィンゴム、プロピレンとブタジエン等交互重合ゴム等がある。エラストマーの中でも熱可塑性エラストマー（ＴＰＥ）が、ガラス転移温度の高いポリマー連鎖（Ａ）と低い連鎖（Ｂ）（Ａとしてポリスチレン、Ｂとしてポリブタジエン（ＰＢ）又はポリイソプレン（ＰＩ））が、ＡＢＡなる形で連結したエラストマーが高温では熱可塑性樹脂として、常温ではエラストマーとしての性質を示すことから好ましい。また、スチレンブロック共重合ベースのＴＰＥは、一般にＴＰＳと呼ばれ、ＴＰＳは、ＳＥＢＳ、ＳＢＳ、ＳＥＰＳ、ＳＥＰＳ−Ｖに分類され、スチレン末端ブロックがエチレン・ブチレン等の弾性ブロックと結合している。これらのスチレン系ＴＰＳは射出成型用材料の軟質成分として使用される。
【００１８】
本願発明のチューブ容器の逆さ立て器具の製造方法は特に限定されないが、例えば、射出成型によって製造することが好ましい。射出成型によれば中空筒状体１１とその内部に設けられる放射状に伸びる複数のリブ１２を一回で同時に成形することができるので極めて効率がよい。例えば光硬化型シリコンゴム組成物のような光硬化合成ゴム組成物を３ＤプリンターによってＵＶレーザー光を照射することによって成形してもよい。これ以外に、トランスファー成型や注型加工法等で成形してもよい。また、中空筒状体を着色剤で着色ないし模様を付してもよい。食品と接触することを考慮して食品衛生法に適合する材料を用いることが好ましい。
【実施例】
【００１９】
以下に実施例を挙げて本願発明について説明するが、本願発明はこれらの実施例によって何ら限定されるものではない。
先ず、光硬化型シリコンゴム組成物を３Ｄプリンターによって本願発明に係るチューブ容器の逆さ立て器具を印刷しつつＵＶレーザー光を照射することにより三次元硬化シリコンゴムのチューブ容器の逆さ立て器具を形成した。
【００２０】
実施例で得られたチューブ容器の逆さ立て器具の寸法を以下に例示する。
中空筒状体の下方部外径：φ６８ｍｍ、上方部外形：φ５８ｍｍ、高さ：６０ｍｍ、
中空筒状体の内径：φ５０ｍｍ、内側深さ：５７ｍｍ、
リブの形状：半円弧形、リブの高さ：４５ｍｍ、広幅部：１５ｍｍ、
底部の厚み：３ｍｍ、窪径：１４ｍｍ、中央空間部の間隙幅径：２０ｍｍ
【００２１】
チューブ容器のサイズ（５００ｇ入り）：蓋部径３３ｍｍ、蓋部高さ：２５ｍｍ
チューブ容器のサイズ（２００ｇ入り）：蓋部径２３ｍｍ、蓋部高さ：２０ｍｍ
前記実施例で得られたチューブ容器の逆さ立て器具に、上記大きさの異なる２個のマヨネーズ入りチューブ容器をそれぞれ逆さに立てて試験した。図６は実施例に係るマヨネーズ入りチューブ容器の写真図であり、図７は実施例に係るチューブ容器にマヨネーズ入りチューブ容器（２００ｇ入り）を逆さに立てた状態の写真図であり、図８は図７のチューブ容器を５００ｇ入りに代えセット後約２０分経過後の写真図である。
【００２２】
サイズの大小に拘わらず、何れもチューブ容器の逆さ立て器具のリブに直立して支持されることが確認できた。また、蜂蜜チューブ容器のように先端口部が細長い容器は口部を底の窪に当接させることによってより確実に支持できた。器具の安定性もよく転倒のおそれは全くなかった。容器の着脱も容易であった。器具自体が小型であり容器を装着した状態で冷蔵庫に収納した場合に他の収納物に埋もれないで取り出し易いことを確認した。
【産業上の利用可能性】
【００２３】
本願発明に係るチューブ容器の逆さ立て器具は、粘性液状、ペースト状又はゼリー状の調味料、ハチミツ、シャンプー、練歯磨等に広く適用でき、大小さまざまな大きさや形状のチューブ容器に対応可能なことから無駄がなく経済的にも有用である。
【符号の説明】
【００２４】
１：チューブ容器の逆さ立て器具、１１：中空筒状体、１２（１２ａ，１２ｂ，１２ｃ，１２ｄ，１２ｅ）：リブ、１３：側壁、１４：底部、、１５：中央空間部、Ｍ：マヨネーズ入りチューブ容器（２００ｇ入り）
【図１】
2015009825.tif 000003
【図２】
2015009825.tif 000004
【図３】
2015009825.tif 000005
【図４】
2015009825.tif 000006
【図５】
2015009825.tif 000007
【図６】
2015009825.tif 000008
【図７】
2015009825.tif 000009
【図８】
2015009825.tif 000010